(57)【特許請求の範囲】
【請求項１】
車輪を有する脚部材にて支持される座席部と、該座席部に連なる背もたれ部と、該背もたれ部よりも上側に配される押しハンドル部とを有するベビーカー用の覆い具において、前記座席部から前記押しハンドル部の上端部に亘って上方から覆うための長さを有する可撓性の覆いシートと、該覆いシートの長さ方向一縁部に該一縁部に沿って保持され、前記押しハンドル部の上端よりも後側に配されて前記一縁部を前記押しハンドル部の上部に抱持させ、前記覆いシートの落下を防ぐための弾性材からなる有端の硬質環とを備えることを特徴とするベビーカー用の覆い具。
【請求項２】
前記覆いシートは、長さ方向他縁部及び該他縁部の両端に連なる両側縁部に補強材を設けてある請求項１記載のベビーカー用の覆い具。
【請求項３】
前記覆いシートの長さ方向他縁部に、前記ベビーカーの脚部材に固定される固定手段が設けられている請求項１又は２記載のベビーカー用の覆い具。
【発明の詳細な説明】
【技術分野】
【０００１】
本発明は、座席部及び背もたれ部を有するベビーカー用の日除け又は雨除けの少なくとも一方の機能を有する覆い具に関する。
【背景技術】
【０００２】
ベビーカー用の覆い具は、ベビーカーに上方から被せられるようになされている、下面開放の袋状の可撓性の覆いカバーからなるものが知られている。
【発明の開示】
【発明が解決しようとする課題】
【０００３】
従来の覆い具は、ベビーカーの上方から被せるものであったため、その作業にあたり覆いカバーの下側周縁がベビーカーの車輪に当たらないよう大きく広げてベビーカーに被せることが必要であり、その作業が相当に面倒であるという欠点があった。
【０００４】
本発明は斯かる事情に鑑みてなされたものであり、主たる目的は、袋状でない覆いシートと、該覆いシートの長さ方向一縁部に設けられた弾性材からなる有端の硬質環とを有する構造のものとすることにより、覆いシートの長さ方向一縁部を湾曲状に広がらせることができ、簡単にベビーカーに被せることができるとともに、覆いシートの広がり状態を維持することができるベビーカー用の覆い具を提供することにある。
【０００５】
本発明の他の目的は、覆いシートをベビーカーの脚に固定する固定手段を有する構造とすることにより、覆いシートが上方に舞い上がるのを防止することができる覆い具を提供することにある。
【課題を解決するための手段】
【０００６】
本発明は前記目的を達成するために以下の如き手段を採用した。
第１発明に係る覆い具は、車輪を有する脚部材にて支持される座席部と、該座席部に連なる背もたれ部と、該背もたれ部よりも上側に配される押しハンドル部とを有するベビーカー用の覆い具において、前記座席部から前記押しハンドル部の上端部に亘って上方から覆うための長さを有する可撓性の覆いシートと、該覆いシートの長さ方向一縁部に該一縁部に沿って保持され、前記押しハンドル部の上端よりも後側に配されて前記一縁部を前記押しハンドル部の上部に抱持させ、前記覆いシートの落下を防ぐための弾性材からなる有端の硬質環とを備えることを特徴とする。
【０００７】
第２発明に係る覆い具は、前記覆いシートは、長さ方向他縁部及び該他縁部の両端に連なる両側縁部に補強材を設けてあることを特徴とする。
【０００８】
第３発明に係る覆い具は、前記覆いシートの長さ方向他縁部に、前記ベビーカーの脚部材に固定される固定手段が設けられていることを特徴とする。
【発明の効果】
【０００９】
本発明によれば、硬質環の弾性を利用して、覆い具をベビーカーに抱持させることができるので、従来の覆い具を被せる作業に比較してより簡単に覆い具をベビーカーに掛けることができる。また、覆いシートを、従来の袋状の覆いカバーに比較して、コンパクトにできる。
【００１０】
また、本発明によれば、覆いシートの長さ方向一縁部を硬質環により湾曲状に広がらせることができ、しかも、この広がり状態を硬質環により維持することができるため、硬質環を広げることにより覆いシートを迅速に、且つ容易に装着することができ、また、取外す場合は覆いシートを硬質環に巻きつけることにより容易にコンパクトにすることができ、着脱作業性を高めることができる。
【００１１】
また、本発明によれば、覆いシートをベビーカーの脚に固定することができるので、覆いシートが上方に舞い上がるのを防ぐことができる。
【発明を実施するための最良の形態】
【００１２】
以下に本発明の実施の形態を説明する。
図１にはベビーカー１が左側から見た簡略の斜視図で示され、図２は図１のII−II線拡大矢視図である。図１及び図２に基づいて、後述する覆い具１６が被せられるベビーカー１について説明する。ベビーカー１は、背面視において略逆Ｕ字状の基枠２を有しており、該基枠２は上部の押しハンドル部３を有し、該押しハンドル部３の左右端に部材取付部４が下向きに連設されている。前記左右の部材取付部４の下部に、後輪６を有する左右の後脚５及び側面視において上部が後側に向けて折曲している、前輪８を有する左右の前脚７が設けられている。左右の前脚７と左右の後脚５とに座席部１０が取り付けられている。該座席部１０の後方に位置するように背もたれ部１１が左右の部材取付部４に取り付けられている。また、左右の部材取付部４に、座席部１０の上方に位置するほろ１３が取り付けられている。更に、左右の部材取付部４に平面視Ｕ字状の囲い枠１４が取り付けられている。
【００１３】
図３には覆い具１６の展開図が示されている。覆い具１６は座席部１０及び背もたれ部１１を上方から覆う矩形の可撓性の覆いシート１７を有している。該覆いシート１７は、座席部１０と、背もたれ部１１及び該背もたれ部１１から斜め後上方へ配された押しハンドル部３とを図１に示すごとく側面視で上方からほぼ覆う大きさを有し、縦長状に形成されている。前記覆いシート１７は、半透明であるが、図面では分かりやすいように不透明なシートとして描かれている。なお、覆いシート１７は、透明でも、不透明でもよい。覆いシート１７の素材は、ＥＶＡシートである。図４に示すごとく、覆いシート１７の上縁部に筒状部１９が形成され、該筒状部１９に弾性材からなる抱持バンド１８が連続的に内嵌固定されている。該抱持バンド１８は、合成樹脂杆、ばね鋼杆等の杆部材が環状に湾曲された有端の硬質環１８ａからなり、広げることにより図１、図２に示すごとく覆いシート１７の上縁部にてベビーカー１の押しハンドル部３を左右から抱くことができるように構成されており、この抱いた状態では、図１、図２に示すごとく押しハンドル部３の上端よりも後側に抱持バンド１８が配されて覆いシート１７の落下を防ぐことができるようになっている。図５は、抱持バンド１８に力を加えず、抱持バンド１８を自然の状態においた時の抱持バンド１８の湾曲状態を示す図である。
【００１４】
前記覆いシート１７の左右縁部及び下縁部に不透明な補強材２０が取り付けられている。
【００１５】
前記覆いシート１７の左右縁部の、抱持バンド１８と逆の端に、ベビーカー１の前脚７に固定される固定手段２１が設けられている。該固定手段２１は、各縁ごとに設けられた２本の紐で構成されている。
【００１６】
次に覆い具１６の使用方法を説明する。
まず、図１及び図２に示すごとく、覆いシート１７を座席部１０及び背もたれ部１１に、上方から掛ける。
その後、抱持バンド１８にそれを左右に押し広げる力を加えつつ、抱持バンド１８を押しハンドル部３の上端よりも後方に位置させると共に抱持バンド１８の両端部の高さ位置が部材取付部４の上部と同じ高さ位置となるようにする。
その後、抱持バンド１８から力を除けば、抱持バンド１８は自らの弾性で縮む。それに伴って、抱持バンド１８の端部の近傍の覆いシート１７が図２に示すごとく部材取付部４、換言すると押しハンドル部３の上端部に当接させられ、該覆いシート１７の落下を防ぐことができる。このようにして、覆い具１６は、ベビーカー１に抱持させられ、図１、図２に示すごとく座席部１０から押しハンドル部３の上端部に亘って上方から覆うことができる。その後、固定手段２１を前脚７に固定する。前記と逆の手順により覆い具１６をベビーカー１から取り外すことができる。
【００１７】
尚、固定手段は、紐に限定されない。たとえば、固定手段を、覆いシート１７に取り付けられた帯体と、該帯体の基部に設けられた、スナップの一方構成部材（凸部を有する部材）と、帯体の自由端に設けられたスナップの他方構成部材（凹部を有する部材）とで構成し、帯体を前脚７に巻き掛けた後、スナップの両構成部材を嵌合させるようにしてもよい。覆い具が日除けである場合、覆いシートにＵＶカット剤を混入することが好ましい。
【図面の簡単な説明】
【００１８】
【図１】ベビーカー及び本発明に係る覆い具を示す斜視図である。
【図２】図１のII−II線拡大矢視図である。
【図３】覆い具の展開図である。
【図４】図３のIV−IV線拡大断面図である。
【図５】抱持バンドを自然の状態においた時の抱持バンドの湾曲状態を示す図である。
【符号の説明】
【００１９】
１    ベビーカー
１０  座席部
１１  背もたれ部
１６  覆い具
１７  覆いシート
１８  抱持バンド
１８ａ  硬質環
１８ｂ  ゴム紐
【図１】
0004377837.tif 000002
【図２】
0004377837.tif 000003
【図３】
0004377837.tif 000004
【図４】
0004377837.tif 000005
【図５】
0004377837.tif 000006